(57)【要約】      （修正有）【課題】指定した時間内にポジションを決済し、さらに指定した利益、または損失でポジションを決済する外国為替証拠金取引システムを提供する。【解決手段】外国為替証拠金取引業者が保有する取引業者サーバと、該取引業者サーバと外国為替証拠金取引を行うための注文者端末とを有し、該取引業者サーバでは、一定の時間間隔で、指定された取引完了時間を過ぎたポジションの決済処理する。また、指定された可変取引完了時間を過ぎたポジションの決済処理を行い、レバレッジ可変取引完了アルゴリズムに従ってレバレッジを引き上げて新規注文を発生させるか、あるいは、証拠金可変取引完了アルゴリズムに従って証拠金を引き上げて、新規注文を発生させる。この該取引業者サーバの取引完了処理部により、指定した時間内にポジションを決済する取引を提供するか、あるいは指定された時間内に指定された利益または損失が確定する確率が高い取引を提供する。【選択図】図１
2010282594.tif 000002
【特許請求の範囲】
【請求項１】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、指定した時間内にポジションを決済する機能と、さらに指定した時間内に、指定した利益、または指定した損失でポジションを決済する確率が高い機能を有することを特徴とする外国為替証拠金取引システム。
【請求項２】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、所定の通信回線若しくはインターネット等の通信網を介して接続される外国為替マーケットの取引レートを参考にして取引業者の取引レートを決定し、取引レート提示部により、注文者端末に取引レートを送信することを特徴とする外国為替証拠金取引システム。
【請求項３】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、所定の通信回線若しくはインターネット等の通信網を介して接続される外国為替マーケットの取引レートを参考にして決定した取引業者の取引レートは、取引レートデータベースに記録され、チャートデータ提示部により、注文者端末に送信することを特徴とする外国為替証拠金取引システム。
【請求項４】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、注文者の認証情報を格納する認証情報データベースを持ち、注文者端末から送信された認証情報を受付、認証情報データベースを使用して注文者の認証処理を行い、その認証結果を注文者端末に送信することを特徴とする外国為替証拠金取引システム。
【請求項５】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、注文者の口座情報を格納する口座情報データベースを持ち、その口座情報を注文者端末に送信することを特徴とする外国為替証拠金取引システム。
【請求項６】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、注文者のポジション情報を格納するポジション情報データベースを持ち、そのポジション情報を注文者端末に送信することを特徴とする外国為替証拠金取引システム。
【請求項７】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、注文者の指値注文情報を格納する指値注文情報データベースを持ち、その指値注文情報を注文者端末に送信することを特徴とする外国為替証拠金取引システム。
【請求項８】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、注文者の決済情報を格納する決済情報データベースを持ち、その決済情報を注文者端末に送信することを特徴とする外国為替証拠金取引システム。
【請求項９】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、注文者端末から送信された成行注文を受付、成行注文を処理し、成行注文の約定により、ポジション情報データベースと口座情報データベースを更新し、その口座情報とポジション情報を注文者端末に送信することを特徴とする外国為替証拠金取引システム。
【請求項１０】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、注文者端末から送信された指値注文を受付、指値注文データベースに記録し、指値注文データベースに格納された指値注文データの指値と取引レートを比較し、指値注文が成立する場合、その指値注文を処理し、指値注文データベースを更新し、さらに、ポジション情報データベースと口座情報データベースを更新し、その指値注文情報と口座情報とポジション情報を注文者端末に送信することを特徴とする外国為替証拠金取引システム。
【請求項１１】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、指定された時間と投資額とストップ値とリミット値から、指定された時間内に、指定された利益または損失が確定する確率が高いレバレッジと証拠金を提示することを特徴とする外国為替証拠金取引システム。
【請求項１２】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、一定の時間間隔で、ポジション情報データベースに格納されたポジション情報データのストップ値と取引レートを比較し、ストップ注文が成立する場合、そのポジションの決済処理を行う。同様に、そのポジション情報データのリミット値と取引レートを比較し、リミット注文が成立する場合、そのポジションの決済処理を行い、ポジション情報データベースと口座情報データベースを更新し、その口座情報とポジション情報を注文者端末に送信することを特徴とする外国為替証拠金取引システム。
【請求項１３】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、一定の時間間隔で、ポジション情報データベースに格納されたポジション情報データに対して、指定された取引完了時間を過ぎたポジションの決済処理を行い、ポジション情報データベースと口座情報データベースを更新し、その口座情報とポジション情報を注文者端末に送信することを特徴とする外国為替証拠金取引システム。
【請求項１４】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、一定の時間間隔で、ポジション情報データベースに格納されたポジション情報データに対して、指定された時間を過ぎたポジションの決済処理し、更にレバレッジを引き上げて、ストップ値とリミット値を引き継いだ新たな成行注文を発生させ、ポジション情報データベースと口座情報データベースを更新し、その口座情報とポジション情報を注文者端末に送信することを特徴とする外国為替証拠金取引システム。
【請求項１５】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
前記取引業者サーバは、一定の時間間隔で、ポジション情報データベースに格納されたポジション情報データに対して、指定された時間を過ぎたポジションの決済処理し、更に証拠金を引き上げて、ストップ値とリミット値を引き継いだ新たな成行注文を発生させ、ポジション情報データベースと口座情報データベースを更新し、その口座情報とポジション情報を注文者端末に送信することを特徴とする外国為替証拠金取引システム。
【請求項１６】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
注文者端末は、ＩＤ・パスワード入力部があり、入力されたＩＤ・パスワードは、該取引業者サーバに送信され、その認証結果を受信し、認証結果が正しければ、注文者のログインを許可し、認証結果が正しくなければ再度のＩＤ・パスワードの入力を注文者に求めることを特徴とする外国為替証拠金取引システム。
【請求項１７】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
注文者端末は、該取引業者サーバから取引レートを取得し、取引レートを表示することを特徴とする外国為替証拠金取引システム。
【請求項１８】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
注文者端末は、該取引業者サーバからチャートデータを取得し、チャートを表示し、チャートデータから指定されたテクニカル指標を算出し、テクニカル指標を表示することを特徴とする外国為替証拠金取引システム。
【請求項１９】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
注文者端末は、該取引業者サーバから口座情報を取得し、口座情報と余剰金を表示することを特徴とする外国為替証拠金取引システム。
【請求項２０】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
注文者端末は、該取引業者サーバからポジション情報と指値注文情報と決済情報を取得し、ポジション情報と指値注文情報と決済情報を表示することを特徴とする外国為替証拠金取引システム。
【請求項２１】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
注文者端末は、注文者により指定されたテクニカル指標を保持し、テクニカル指標を表示するときに使用されることを特徴とする外国為替証拠金取引システム。
【請求項２２】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
注文者端末は、注文者により指定された取引に使用する通貨ペアを保持し、新たに通貨ペアが指定されると、指定された通貨ペアの取引レートを取得し、取引レートを表示し、該取引業者サーバから指定された通貨ペアのチャートデータを取得し、チャートを表示し、テクニカル指標を表示することを特徴とする外国為替証拠金取引システム。
【請求項２３】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
注文者端末は、注文者により指定された成行注文か指値注文かを保持し、注文者が注文者端末の注文発行ボタンを押下したときに、成行注文を発行するのか指値注文を発行するのかを決定するのに使用されることを特徴とする外国為替証拠金取引システム。
【請求項２４】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
注文者端末は、注文者により指定された投資額を保持し、投資額を表示し、注文者が注文者端末の注文発行ボタンを押下したときに発行される注文の投資額として使用されることを特徴とする外国為替証拠金取引システム。
【請求項２５】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
注文者端末は、注文者により指定された利益率を保持し、注文者が注文者端末の注文発行ボタンを押下したときに発行される注文のリミット値を算出するのに使用されることを特徴とする外国為替証拠金取引システム。
【請求項２６】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
注文者端末は、注文者により指定された取引完了時間を保持し、注文者が注文者端末の注文発行ボタンを押下したときに発行される注文の取引完了時間値として使用されることを特徴とする外国為替証拠金取引システム。
【請求項２７】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
注文者端末は、注文者により指定された取引完了処理を保持し、注文者が注文者端末の注文発行ボタンを押下したときに発行される注文の取引完了処理値として使用されることを特徴とする外国為替証拠金取引システム。
【請求項２８】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
注文者端末は、買い注文発行ボタンを有し、注文者が買い注文を発行する場合に、注文者によって押下される。
買い注文発行ボタンが押下されると、成行か指値の設定値に従い、成行買い注文か指値買い注文を該取引業者サーバに送信する。
このとき、注文データには、通貨ペア設定値、投資額設定値、投資額設定値と利益率設定値から算出したストップ値とリミット値、取引完了処理設定値、取引完了時間設定値が含まれることを特徴とする外国為替証拠金取引システム。
【請求項２９】
外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、
注文者端末は、売り注文発行ボタンを有し、注文者が売り注文を発行する場合に、注文者によって押下される。
売り注文発行ボタンが押下されると、成行か指値の設定に従い、成行売り注文か指値売り注文を該取引業者サーバに送信する。
このとき、注文データには、通貨ペア設定値、投資額設定値、投資額設定値と利益率設定値から算出したストップ値とリミット値、取引完了処理設定値、取引完了時間設定値が含まれることを特徴とする外国為替証拠金取引システム。
【発明の詳細な説明】
【技術分野】
【０００１】  本発明は、外国為替証拠金取引を遂行するためのコンピュータシステムに関し、より詳しくは、外国為替証拠金取引を行う取引業者のサーバと、注文者が操作し、外国為替証拠金取引を行うための注文者端末とにより、指定された時間内に、指定された利益か損失を発生させて、外国為替証拠金取引を完了させる外国為替証拠金取引システムに関する。
【背景技術】
【０００２】  １９９８年の外為法改正によって、外国為替取引の自由化が実現されたことにより、新たな外国為替取引として登場したのが外国為替証拠金取引である。【０００３】  近年のコンピュータ及び通信技術の発展により、外国為替証拠金取引がインターネット等のネットワークを介して行われており、外国為替証拠金取引を取扱う取引業者が保有するサーバと注文者端末とにより、外国為替証拠金取引を遂行するための外国為替証拠金取引システムが多数提案されている。【０００４】  外国為替証拠金取引は、個人投資家等が取引業者に一定の証拠金を預けて信用を供与してもらい、証拠金に対して数十倍から数百倍の取引を行うことができる取引である。【０００５】  個人投資家等が、外国為替証拠金取引を行う場合、外国為替証拠金取引を行う取引業者に、個人情報の提供と口座開設を依頼し、取引業者は個人情報に基づいて与信審査を行い、個人投資家等の口座開設を行う。
個人投資家等は、証拠金の入金処理を行った後、実際の外国為替証拠金取引を開始する。【０００６】  その後、個人投資家等が注文者端末によって、取引業者が保有する取引業者サーバにアクセスすると、取引業者が提供する取引レートを参照することができ、この取引レートに基づいて買い又は売りの注文を取引業者サーバに送信することで外国為替証拠金取引を成立させる取引システムである。
【特許文献１】特開２００７−１１８１４号公報
【発明の概要】
【発明が解決しようとする課題】
【０００７】  外国為替証拠金取引は、日本では、月曜日の早朝から土曜日の早朝まで、２４時間休みなく取引されている。
外国為替証拠金取引を行っている個人投資家等は、外国為替証拠金取引を行って利益を得るために、外国為替相場のテクニカル分析等のあらゆる知識を駆使して、外国為替相場を分析し、外国為替相場の方向性を見出し、注文を発行する。
しかし、外国為替相場のテクニカル分析等によって得られた外国為替相場の方向性は、一定の時間内においてしか有効でない。
現在の外国為替証拠金取引では、保有しているポジションが利益の出る方向に相場が動いた場合に、予め利益を確保するために、出しておく注文としてのリミット注文や、保有しているポジションと逆の方向に相場が動いてしまい損失をこうむってしまう場合、損失を一定の額に押さえるための注文であるストップ注文を発行することができる外国為替証拠金取引システムは提供されている。
しかし、指定した時間内にポジションを決済する外国為替証拠金取引システムや、さらに指定した時間内に、指定した利益、または指定した損失でポジションを決済する外国為替証拠金取引システムが存在しない点である。
このことによって、個人投資家等は、得ることができたであろう利益を取逃がしたり、想定外の損失を被ることとなる場合がある。
【課題を解決するための手段】
【０００８】  本発明に係る外国為替証拠金取引システムは、上記課題を解決するため、外国為替証拠金取引業者が保有する取引業者サーバと、個人投資家等の注文者が操作し、該取引業者サーバと外国為替証拠金取引を行うための注文者端末とにより、外国為替証拠金取引を遂行するための外国為替証拠金取引システムであって、前記注文者端末は、取引レート表示部、チャート表示部、テクニカル指標表示部、余剰金・投資額表示部、口座情報表示部、ポジション情報表示部、指値注文情報表示部、決済情報表示部、テクニカル指標設定部、取引通貨ペア設定部、成行・指値設定部、投資額設定部、利益率設定部、取引完了時間設定部、取引完了処理設定部、取引レート取得部、チャートデータ取得部、口座情報取得部、ポジション情報取得部、指値注文情報取得部、決済情報取得部、買い注文発行ボタン、売り注文発行ボタン、成行買い注文発行部、指値買い注文発行部、成行売り注文発行部、指値売り注文発行部、ＩＤ・パスワード入力部、認証取得部を有し、取引業者サーバは、取引レート提示部、チャートデータ提示部、口座情報管理部、ポジション情報管理部、指値注文情報管理部、決済情報管理部、レバレッジ・証拠金算出部、成行注文受付部、成行取引実行部、指値注文受付部、指値注文処理部、認証処理部、取引レートデータベース、口座情報データベース、決済情報データベース、ポジション情報データベース、指値注文情報データベース、認証情報データベースと、指定した時間内にポジションを決済する機能と、さらに指定した時間内に、指定した利益、または指定した損失でポジションを決済する確率が高い機能を有する取引完了処理部を取引処理手段として有することを特徴とする。
【発明の効果】
【０００９】  本発明によれば、以下の効果を奏する。
外国為替証拠金取引において、テクニカル分析等によって得られた相場の方向性に沿った注文を行う個人投資家等に対して、指定した時間内にポジションを決済する機能と、さらに指定した時間内に、指定した利益、または指定した損失でポジションを決済する確率が高い機能によって、テクニカル分析等によって得られた相場の方向性に沿った結果を得やすい外国為替証拠金取引システムを提供することができる。
【発明を実施するための形態】
【００１０】  以下、本発明の実施の形態を図面を参照しながら詳細に説明する。図１は、本発明を適用した外国為替証拠金取引システムの概要を説明するための図である。
【００１１】  図１に示すように、本実施形態の外国為替証拠金取引システムは、外国為替証拠金取引業者が保有する取引業者サーバ１００と、所定の通信回線若しくはインターネット等のネットワーク２を介して接続される外国為替マーケットと、個人投資家等の注文者が操作しインターネット等のネットワーク１を介して、該取引業者サーバ１００にアクセスする注文者端末２００とにより構成されている。
【００１２】  次に、本実施形態に係る外国為替証拠金取引システムの取引業者サーバ１００について詳細に説明する。
【００１３】  この取引業者サーバ１００は、所定の通信回線若しくはインターネット等のネットワーク２を介して接続される外国為替マーケットの取引レートを参考にして取引業者の取引レートを決定し、取引レート提示部１０１により、注文者端末２００に取引レートを送信する。
この取引レートは、また、取引レートデータベース１１４に記録され、チャートデータ提示部１０２により、注文者端末２００に送信され、注文者端末２００におけるチャート作成に利用される。
【００１４】  取引業者サーバ１００は、注文者の認証情報を格納する認証情報データベース１１９を持ち、認証処理部１１３によって使用される。
注文者端末２００から送信された認証情報は、認証処理部１１３で受付、認証情報データベース１１９を使用して注文者の認証処理を行い、その認証結果を注文者端末２００に送信する。
【００１５】  取引業者サーバ１００は、注文者の口座情報を格納する口座情報データベース１１５を持ち、口座情報管理部１０３によって、その口座情報を注文者端末２００に送信する。
【００１６】  取引業者サーバ１００は、注文者のポジション情報を格納するポジション情報データベース１１７を持ち、ポジション情報管理部１０４によって、そのポジション情報を注文者端末２００に送信する。
【００１７】  取引業者サーバ１００は、注文者の指値注文情報を格納する指値注文情報データベース１１８を持ち、指値注文情報管理部１０５によって、その指値注文情報を注文者端末２００に送信する。
【００１８】  取引業者サーバ１００は、注文者の決済情報を格納する決済情報データベース１１６を持ち、決済情報管理部１０６によって、その決済情報を注文者端末２００に送信する。
【００１９】  取引業者サーバ１００は、注文者端末２００から送信された成行注文を、成行注文受付部１０９で受付、その後、成行取引実行部１１０にその成行注文を送り、成行注文を処理する。
成行注文の約定により、ポジション情報データベース１１７と口座情報データベース１１５は更新され、口座情報管理部１０３によって、その口座情報を注文者端末２００に送信し、ポジション情報管理部１０４によって、そのポジション情報を注文者端末２００に送信する。
【００２０】  取引業者サーバ１００は、注文者端末２００から送信された指値注文を、指値注文受付部１１２で受付、その後、指値注文データベース１１８に記録する。
そして、指値注文情報管理部１０５によって、その指値注文情報を注文者端末２００に送信する。
指値注文処理部１１１では、指値注文データベース１１８に格納された指値注文データの指値と取引レートを比較し、指値注文が成立する場合、その指値注文を成行注文に変更し、成行注文受付部１０９にその成行注文を送り、成行注文として処理する。このとき指値注文データベース１１８は、更新され、指値注文情報管理部１０５によって、その指値注文情報を注文者端末２００に送信する。
また、指値注文の約定によって、ポジション情報データベース１１７と口座情報データベース１１５は更新され、口座情報管理部１０３により、その口座情報を注文者端末２００に送信し、ポジション情報管理部１０４によって、ポジション情報を注文者端末２００に送信する。
【００２１】  本発明の核となる取引完了処理におけるレバレッジ可変取引完了アルゴリズムについて説明する。
例として、通貨ペアをドル円とし、証拠金１万円の買い注文を行う。
利益として１万円をリミット注文で指定する。
損失として１万円をストップ注文で指定する。
レバレッジが１００の場合、１万ドルの買いポジションを持つ。
ドルが１円上がると、利益が１万円になりリミット注文が成立する。
ドルが１円下がると、損失が１万円になりストップ注文が成立する。
レバレッジが２００の場合、２万ドルの買いポジションを持つ。
ドルが５０銭上がると、利益が１万円になりリミット注文が成立する。
ドルが５０銭下がると、損失が１万円になりストップ注文が成立する。
レバレッジが４００の場合、４万ドルの買いポジションを持つ。
ドルが２５銭上がると、利益が１万円になりリミット注文が成立する。
ドルが２５銭下がると、損失が１万円になりストップ注文が成立する。
レバレッジが１０００の場合、１０万ドルの買いポジションを持つ。
ドルが１０銭上がると、利益が１万円になりリミット注文が成立する。
ドルが１０銭下がると、損失が１万円になりストップ注文が成立する。
ここで、現在の平均的なドル円の取引レートの変動幅とその変動幅が発生するのに必要とする時間の関係は、以下のような関係になっている。
ドル円が１円上がるか１円下がるかが発生するのに要する時間は、およそ１日から１週間である。
ドル円が５０銭上がるか５０銭下がるかが発生するのに要する時間は、およそ１０時間から３日である。
ドル円が２５銭上がるか２５銭下がるかが発生するのに要する時間は、およそ２時間から１日である。
ドル円が１０銭上がるか１０銭下がるかが発生するのに要する時間は、およそ数分から４時間である。
このことから、同じ証拠金と同じリミット値と同じストップ値の場合、レバレッジを上げると、ポジションのリミット注文が成立するかストップ注文が成立する時間は短くなる。
このことを利用して、指定された時間内に取引を完了させるアルゴリズムを考案した。
ここで、取引を完了させるとは、新規注文を出し、その注文が成立してできたポジションに対する決済注文を出すことによって、損益を確定させることを取引の完了と呼ぶこととする。
また、可変取引完了時間とは、同一レバレッジにおける取引完了時間とする。
例として、通貨ペアをドル円とし、証拠金１万円の買い注文で、取引完了時間の指定が２４時間とし、レバレッジとして取り得る値を、１００・２００・４００・１０００とする。
初めの１２時間は、レバレッジを１００とする。この場合、可変取引完了時間は、取引完了時間−１２時間である。
次の６時間は、レバレッジを２００とする。この場合、可変取引完了時間は、取引完了時間−６時間である。
次の３時間は、レバレッジを４００とする。この場合、可変取引完了時間は、取引完了時間−３時間である。
残りの時間は、レバレッジを１０００とする。この場合、可変取引完了時間は、取引完了時間である。
このアルゴリズムにより、指定された時間内に、指定された利益または損失が確定する確率が高い取引を提供することができる。
【００２２】  本発明の核となる取引完了処理における証拠金可変取引完了アルゴリズムについて説明する。
例として、通貨ペアをドル円とし、レバレッジ１００で初期証拠金１万円の買い注文を行う。
利益として１万円をリミット注文で指定する。
損失として１万円をストップ注文で指定する。
証拠金が１万円の場合、１万ドルの買いポジションを持つ。
ドルが１円上がると、利益が１万円になりリミット注文が成立する。
ドルが１円下がると、損失が１万円になりストップ注文が成立する。
証拠金が２万円の場合、２万ドルの買いポジションを持つ。
ドルが５０銭上がると、利益が１万円になりリミット注文が成立する。
ドルが５０銭下がると、損失が１万円になりストップ注文が成立する。
証拠金が４万円の場合、４万ドルの買いポジションを持つ。
ドルが２５銭上がると、利益が１万円になりリミット注文が成立する。
ドルが２５銭下がると、損失が１万円になりストップ注文が成立する。
証拠金が１０万円の場合、１０万ドルの買いポジションを持つ。
ドルが１０銭上がると、利益が１万円になりリミット注文が成立する。
ドルが１０銭下がると、損失が１万円になりストップ注文が成立する。
ここで、現在の平均的なドル円の取引レートの変動幅とその変動幅が発生するのに必要とする時間の関係は、以下のような関係になっている。
ドル円が１円上がるか１円下がるかが発生するのに要する時間は、１日から１週間である。
ドル円が５０銭上がるか５０銭下がるかが発生するのに要する時間は、１０時間から３日である。
ドル円が２５銭上がるか２５銭下がるかが発生するのに要する時間は、２時間から１日である。
ドル円が１０銭上がるか１０銭下がるかが発生するのに要する時間は、数分から４時間である。
このことから、同じレバレッジと同じリミット値と同じストップ値の場合、証拠金を上げると、ポジションのリミット注文が成立するかストップ注文が成立する時間は短くなる。
このことを利用して、指定された時間内に取引を完了させるアルゴリズムを考案した。
例として、通貨ペアをドル円とし、レバレッジを１００とし、初期証拠金１万円の買い注文で、取引完了時間の指定が２４時間とし、証拠金として取り得る値を、１万円・２万円・４万円・１０万円とする。
初めの１２時間は、証拠金を１万円とする。この場合、可変取引完了時間は、取引完了時間−１２時間である。
次の６時間は、証拠金を２万円とする。この場合、可変取引完了時間は、取引完了時間−６時間である。
次の３時間は、証拠金を４万円とする。この場合、可変取引完了時間は、取引完了時間−３時間である。
残りの時間は、証拠金を１０万円とする。この場合、可変取引完了時間は、取引完了時間である。
このアルゴリズムにより、指定された時間内に、指定された利益または損失が確定する確率が高い取引を提供することができる。
【００２３】  取引業者サーバ１００では、レバレッジ・証拠金算出部１０８に対して、指定された時間と投資額とストップ値とリミット値を入力すると、レバレッジ・証拠金算出部１０８は、指定された時間に対して、チャートデータ提示部１０２を用いて、過去３ヶ月間の指定された時間の時間足のチャートを作成し、そのローソク足の変動幅（高値−安値）の平均値を求め、その平均値で、与えられたストップ値とリミット値の和を、割ることによって得られる値を、新しいレバレッジとして提示する。
また、ここで得られた新しいレバレッジを基本レバレッジで割った値に、与えられた投資額を掛けることによって得られる値を、新しい証拠金として提示する。
【００２４】  取引業者サーバ１００では、一定の時間間隔で、取引完了処理部１０７が動作する。
図２は、取引完了処理部１０７を説明するためのフローチャート図である。
ポジション情報データベース１１７に格納されたポジション情報データのストップ値と、取引レートから算出される損益額を比較し（Ｓ２０１）、ストップ注文が成立する場合、そのポジションの決済処理を行う（Ｓ２１６）。
同様に、そのポジション情報データのリミット値と、取引レートから算出される損益額を比較し（Ｓ２０２）、リミット注文が成立する場合、そのポジションの決済処理を行う（Ｓ２１６）。
【００２５】  そして、指定された取引完了時間を過ぎた場合（Ｓ２０３）、ポジションの決済処理する（Ｓ２１６）。
さらに、そのポジション情報データの取引完了処理設定が「レバレッジ可変」か「証拠金可変」の場合、以下の２つの何れかの処理を行う。
１．ポジション情報データの取引完了処理設定が「レバレッジ可変」の場合（Ｓ２０４）、該レバレッジ可変取引完了アルゴリズムに従って、指定された可変取引完了時間を過ぎたポジション（Ｓ２０６）の決済処理し（Ｓ２０７）、更にレバレッジを、レバレッジ・証拠金算出部１０８を用いて得られたレバレッジ値に引き上げて（Ｓ２０８）、新たな成行注文を発生させ（Ｓ２０９）、成行取引実行部１１０にその成行注文を送り、成行注文として処理する。このことによって新たに生成されたポジションのストップ値とリミット値は、引き継がれ、レバレッジ可変取引完了アルゴリズムに従って可変取引完了時間は、更新される（Ｓ２１０）。
２．ポジション情報データの取引完了処理設定が「証拠金可変」の場合（Ｓ２０５）、該証拠金可変取引完了アルゴリズムに従って、指定された可変取引完了時間を過ぎたポジション（Ｓ２１１）の決済処理し（Ｓ２１２）、更に証拠金を、レバレッジ・証拠金算出部１０８を用いて得られた証拠金値に引き上げて（Ｓ２１３）、新たな成行注文を発生させ（Ｓ２１４）、成行取引実行部１０９にその成行注文を送り、成行注文として処理する。
このことによって新たに生成されたポジションのストップ値とリミット値は、引き継がれ、証拠金可変取引完了アルゴリズムに従って可変取引完了時間は、更新される（Ｓ２１５）。
新規注文の約定や決済処理によって、ポジション情報データベース１１７と口座情報データベース１１５は更新され、口座情報管理部１０３により、その口座情報を注文者端末２００に送信し、ポジション情報管理部１０４によって、そのポジション情報を注文者端末２００に送信する。
【００２６】  次に、本実施形態に係る外国為替証拠金取引システムの注文者端末２００について詳細に説明する。
図３は、本発明を適用した外国為替証拠金取引システムの注文者端末の概要を説明するための画面遷移図である。
図４は、注文者端末のログイン画面図である。
図５は、注文者端末の取引画面図である。
図６は、注文者端末のポジション情報画面図である。
図７は、注文者端末の指値注文情報画面図である。
図８は、注文者端末の決済情報画面図である。
図９は、注文者端末の口座情報画面図である。
図１０は、注文者端末の設定画面図である。
図１１は、注文者端末の説明書画面図である。
【００２７】  注文者端末２００は、ＩＤ・パスワード入力部２１８があり、注文者は、ここでＩＤ・パスワードを入力する。
入力されたＩＤ・パスワードは、認証取得部２２９により、該取引業者サーバ１００に送信され、その結果を受信する。認証結果が正しければ、注文者のログインを許可し、認証結果が正しくなければ再度のＩＤ・パスワードの入力を注文者に求める。
【００２８】  注文者端末２００は、インターネット等のネットワーク１を介して、取引レート取得部２１９により、該取引業者サーバ１００から取引レートを取得し、取引レート表示部２０１により、取引レートが表示される。
取引レートの表示には、通貨ペア・売値・買値が表示される。
【００２９】  注文者端末２００は、チャートデータ取得部２２０により、該取引業者サーバ１００からチャートデータを取得し、チャートデータ表示部２０２により、チャートが表示される。
また、テクニカル指標設定部２０９により設定されているテクニカル指標を元に、チャートデータからテクニカル指標を算出し、テクニカル指標表示部２０３により、テクニカル指標が表示される。
【００３０】  注文者端末２００は、口座情報取得部２２１により、該取引業者サーバ１００から口座情報を取得し、口座情報表示部２０５により、口座情報が表示され、余剰金・投資額表示部２０４により、余剰金が表示される。
【００３１】  注文者端末２００は、ポジション情報取得部２２２により、該取引業者サーバ１００からポジション情報を取得し、ポジション情報表示部２０６により、ポジション情報が表示される。
【００３２】  注文者端末２００は、指値注文情報取得部２２３により、該取引業者サーバ１００から指値注文情報を取得し、指値注文情報表示部２０７により、指値注文情報が表示される。
【００３３】  注文者端末２００は、決済情報取得部２２４により、該取引業者サーバ１００から決済情報を取得し、決済情報表示部２０８により、決済情報が表示される。
【００３４】  注文者端末２００のテクニカル指標設定部２０９は、注文者により指定されたテクニカル指標を保持する。
テクニカル指標は、テクニカル指標表示部２０３で使用される。
【００３５】  注文者端末２００の取引通貨ペア設定部２１０は、注文者により指定された取引に使用する通貨ペアを保持する。
通貨ペアが指定されると、取引レート取得部２１９により、該取引業者サーバ１００から指定された通貨ペアの取引レートを取得し、取引レート表示部２０１により、取引レートが表示される。
また、チャートデータ取得部２２０により、該取引業者サーバ１００から指定された通貨ペアのチャートデータを取得し、チャートデータ表示部２０２により、チャートが表示され、テクニカル指標表示部２０３により、テクニカル指標が表示される。
【００３６】  注文者端末２００の成行・指値設定部２１１は、注文者により指定された成行注文か指値注文かを保持する。
成行・指値設定部２１１が保持する設定値は、注文者が注文者端末２００の注文発行ボタン（２１６，２１７）を押下したときに、成行注文を発行するのか指値注文を発行するのかを決定するのに使用される。
【００３７】  注文者端末２００の投資額設定部２１２は、注文者により指定された投資額を保持し、余剰金・投資額表示部２０４によって投資額が表示される。
投資額設定部２１２が保持する投資額は、注文者が注文者端末２００の注文発行ボタン（２１６、２１７）を押下したときの注文発行部（２２５、２２６、２２７、２２８）で使用される。
【００３８】  注文者端末２００の利益率設定部２１３は、注文者により指定された利益率を保持する。利益率設定部２１３が保持する利益率は、注文者が注文者端末２００の注文発行ボタン（２１６、２１７）を押下したときの注文発行部（２２５、２２６、２２７、２２８）で使用される。
【００３９】  注文者端末２００の取引完了時間設定部２１４は、注文者により指定された取引完了時間を保持する。
取引完了時間設定部２１４が保持する取引完了時間は、注文者が注文者端末２００の注文発行ボタン（２１６，２１７）を押下したときの注文発行部（２２５、２２６、２２７、２２８）で使用される。
【００４０】  注文者端末２００の取引完了処理設定部２１５は、注文者により指定された取引完了処理を保持する。
取引完了処理には、固定とレバレッジ可変と証拠金可変の３つの処理があり、固定は、指定された取引完了時間になると決済処理を行い、レバレッジ可変は、レバレッジ可変アルゴリズムによって取引完了処理を行うことを指定し、証拠金可変は、証拠金可変アルゴリズムによって取引完了処理を行うことを指定する。
取引完了処理設定部２１５が保持する取引完了処理は、注文者が注文者端末２００の注文発行ボタン（２１６，２１７）を押下したときの注文発行部（２２５、２２６、２２７、２２８）で使用される。
【００４１】  注文者端末２００の買い注文発行ボタン２１６は、注文者が買い注文を発行する場合に、注文者によって押下される。
買い注文発行ボタン２１６が押下されると、成行・指値設定部２１１の設定値に従い、成行買い注文発行部２２５か指値買い注文発行部２２６から、注文が該取引業者サーバ１００に送信される。
このとき、注文データには、通貨ペア設定値、投資額設定値、投資額設定値に等しいストップ値、投資額設定値に利益率設定値を掛けたリミット値、取引完了処理設定値、取引完了時間設定値が含まれる。
【００４２】  注文者端末２００の売り注文発行ボタン２１７は、注文者が売り注文を発行する場合に、注文者によって押下される。
売り注文発行ボタン２１７が押下されると、成行・指値設定部２１１の設定値に従い、成行売り注文発行部２２７か指値売り注文発行部２２８から、注文が該取引業者サーバ１００に送信される。
このとき、注文データには、通貨ペア設定値、投資額設定値、投資額設定値に等しいストップ値、投資額設定値に利益率設定値を掛けたリミット値、取引完了処理設定値、取引完了時間設定値が含まれる。
【００４３】  本実施形態では、取引完了処理部は、取引業者サーバ１００に存在するが、この取引完了処理部を取引業者サーバ１００から削除し、注文者端末２００に取引完了処理部が存在する構成にしてもよい。
【産業上の利用可能性】
【００４４】  本発明は、上述した外国為替証拠金取引に適用する他、株取引、先物取引等に関しても幅広く適用可能である。
【図面の簡単な説明】
【００４５】
【図１】本発明を適用した外国為替証拠金取引システムのシステム構成図。
【図２】本発明を適用した外国為替証拠金取引システムの取引完了処理部を説明するためのフローチャート図。
【図３】本発明を適用した外国為替証拠金取引システムの注文者端末の画面遷移図。
【図４】本発明を適用した外国為替証拠金取引システムの注文者端末のログイン画面図。
【図５】本発明を適用した外国為替証拠金取引システムの注文者端末の取引画面図。
【図６】本発明を適用した外国為替証拠金取引システムの注文者端末のポジション情報画面図。
【図７】本発明を適用した外国為替証拠金取引システムの注文者端末の指値注文情報画面図。
【図８】本発明を適用した外国為替証拠金取引システムの注文者端末の決済情報画面図。
【図９】本発明を適用した外国為替証拠金取引システムの注文者端末の口座情報画面図。
【図１０】本発明を適用した外国為替証拠金取引システムの注文者端末の設定画面図。
【図１１】本発明を適用した外国為替証拠金取引システムの注文者端末の説明書画面図。
【符号の説明】
【００４６】    １  ネットワーク
２  ネットワーク
１００  取引業者サーバ
１０１  取引レート提示部
１０２  チャートデータ提示部
１０３  口座情報管理部
１０４  ポジション情報管理部
１０５  指値注文情報管理部
１０６  決済情報管理部
１０７  取引完了処理部
１０８  レバレッジ・証拠金算出部
１０９  成行注文受付部
１１０  成行取引実行部
１１１  指値注文処理部
１１２  指値注文受付部
１１３  認証処理部
１１４  取引レートデータベース
１１５  口座情報データベース
１１６  決済情報データベース
１１７  ポジション情報データベース
１１８  指値注文情報データベース
１１９  認証情報データベース
２００  注文者端末
２０１  取引レート表示部
２０２  チャート表示部
２０３  テクニカル指標表示部
２０４  余剰金・投資額表示部
２０５  口座情報表示部
２０６  ポジション情報表示部
２０７  指値注文情報表示部
２０８  決済情報表示部
２０９  テクニカル指標設定部
２１０  取引通貨ペア設定部
２１１  成行・指値設定部
２１２  投資額設定部
２１３  利益率設定部
２１４  取引完了時間設定部
２１５  取引完了処理設定部
２１６  買い注文発行ボタン
２１７  売り注文発行ボタン
２１８  ＩＤ・パスワード入力部
２１９  取引レート取得部
２２０  チャートデータ取得部
２２１  口座情報取得部
２２２  ポジション情報取得部
２２３  指値注文情報取得部
２２４  決済情報取得部
２２５  成行買い注文発行部
２２６  指値買い注文発行部
２２７  成行売り注文発行部
２２８  指値売り注文発行部
２２９  認証取得部
【図１】
2010282594.tif 000003
【図２】
2010282594.tif 000004
【図３】
2010282594.tif 000005
【図４】
2010282594.tif 000006
【図５】
2010282594.tif 000007
【図６】
2010282594.tif 000008
【図７】
2010282594.tif 000009
【図８】
2010282594.tif 000010
【図９】
2010282594.tif 000011
【図１０】
2010282594.tif 000012
【図１１】
2010282594.tif 000013